(57)【要約】【課題】片手でも容易に操作することができるロック機構を有するバルブ装置を提供する。【解決手段】密封可能な袋体２に設けられたバルブ取付孔３の周りに取付けられ、袋体２の内外へエアを出入れするエア通路孔１３を有するとともにそのエア通路孔１３の周囲に弁体用受け面１４を有するバルブ枠体１０と、受け面１４に対し接離可能に設けられた弁体２０と、弁体２０を受け面１４に押付けて閉弁状態にする大半径部分３１ａと、弁体２０から離れて開弁許容状態とする小半径部分３１ｂとが形成されたカム部３１を一端側に有し、そのカム部３１が、他端側の起伏に伴って所望角度範囲内で回動するようにバルブ枠体１０に支持されているレバー３０とを具備し、上記開弁許容状態においてバルブ枠体１０の外側からの吸引により弁体２０が受け面１４から離れて開弁状態とされる。【選択図】図１
2007284140.tif 000002
【特許請求の範囲】
【請求項１】
密封可能な袋体に設けられたバルブ取付孔に取付けられるもので、該袋体の内外へエアを出入れするエア通路孔を有するとともにそのエア通路孔の周囲に弁体用受け面を有するバルブ枠体と、
上記受け面に対し接離可能に設けられた弁体と、
該弁体を上記受け面に押付けて閉弁状態にする大半径部分と、該弁体から離れて開弁許容状態とする小半径部分とが形成されたカム部を一端側に有し、そのカム部が、他端側の起伏に伴って所望角度範囲内で回動するように上記バルブ枠体に支持されているレバーとを具備し、
上記開弁許容状態において上記バルブ枠体の外側からの吸引により上記弁体が上記受け面から離れて開弁状態とされることを特徴とするバルブ装置。
【請求項２】
請求項１に記載のバルブ装置において、
前記バルブ枠体が、袋体内側に配設される内側バルブ枠体と、袋体外側に配設される外側バルブ枠体とを前記バルブ取付孔で連結して構成され、内側バルブ枠体に前記受け面が設けられているとともにその受け面の外周部に外側バルブ枠体側へ向けて弁体取付部が突出形成されていて、上記弁体取付部の内側に前記弁体が受け面に対して接離可能に設けられ、外側バルブ枠体に前記レバーが設けられていることを特徴とするバルブ装置。
【請求項３】
請求項１または２に記載のバルブ装置において、
前記弁体は、前記受け面側に弁体本体を有し、かつ前記カム部側に該弁体本体を該受け面に均一に押圧する押圧板を有することを特徴とするバルブ装置。
【請求項４】
請求項３に記載のバルブ装置において、
前記受け面の前記弁体本体側または弁体本体の受け面側に環状凸部が形成され、かつ、前記押圧板に、上記環状凸部に対応する位置関係で第２環状凸部が形成されていることを特徴とするバルブ装置。
【発明の詳細な説明】
【技術分野】
【０００１】
本発明は、例えば布団を入れるための密封される袋体に形成された開口部に取付けられるバルブ装置に関し、詳細には、開状態において外側からの吸引により袋体内部を減圧して袋体を萎ませ、閉状態において袋体内の圧力を保持させるバルブ装置に関する。
【背景技術】
【０００２】
上述したバルブ装置として、袋体の開口部に取付けたバルブ枠体の内部に弁体が内外方向への移動可能に設けられ、その弁体を内側へ向けて押し付けてエア通路を塞ぐことで閉状態にし、その閉状態をロック機構により保持することができ、一方、ロック機構による前記閉状態を解き、バルブ枠体上に電気掃除機の吸気ノズルの吸込口を当接させて吸引することで弁体を外側へ吸い上げてエア通路から離すことで開状態にすることができる構成のものが知られている（例えば、特許文献１参照）。
【特許文献１】特開２００４−３３８７８４号公報
【発明の開示】
【発明が解決しようとする課題】
【０００３】
ところで、上記ロック機構は、バルブ枠体に対してロック用の回動部材を、内外方向とは直交する方向へ回動させる構成となっているため、片手での操作がし難いという難点があった。このことを以下により詳細に説明する。即ち、ロック用の回動部材を片手で回動操作すると、バルブ枠体が設けられた軟質の袋体が容易に変形してバルブ枠体が回動し、回動部材を回動させることが困難となる。一方、回動部材を確実に回動させるようにするためには、バルブ枠体の回動を防ぐために把持する必要があり、この場合には両手を回動部材の回動操作に用いるので、片手での操作が不可能になるという不都合がある。更には、上述した袋体の変形が繰り返し行われることに伴って袋体が破損する虞もある。
【０００４】
本発明は、このような従来技術の課題を解決するためになされたもので、片手でも容易に操作することができるロック機構を有するバルブ装置を提供することを目的とする。
【課題を解決するための手段】
【０００５】
本発明の請求項１に係るバルブ装置は、密封可能な袋体に設けられたバルブ取付孔に取付けられるもので、該袋体の内外へエアを出入れするエア通路孔を有するとともにそのエア通路孔の周囲に弁体用受け面を有するバルブ枠体と、上記受け面に対し接離可能に設けられた弁体と、該弁体を上記受け面に押付けて閉弁状態にする大半径部分と、該弁体から離れて開弁許容状態とする小半径部分とが形成されたカム部を一端側に有し、そのカム部が、他端側の起伏に伴って所望角度範囲内で回動するように上記バルブ枠体に支持されているレバーとを具備し、上記開弁許容状態において上記バルブ枠体の外側からの吸引により上記弁体が上記受け面から離れて開弁状態とされることを特徴とする。
【０００６】
本発明の請求項２に係るバルブ装置は、請求項１に記載のバルブ装置において、前記バルブ枠体が、袋体内側に配設される内側バルブ枠体と、袋体外側に配設される外側バルブ枠体とを前記バルブ取付孔で連結して構成され、内側バルブ枠体に前記受け面が設けられているとともにその受け面の外周部に外側バルブ枠体側へ向けて弁体取付部が突出形成されていて、上記弁体取付部の内側に前記弁体が受け面に対して接離可能に設けられ、外側バルブ枠体に前記レバーが設けられていることを特徴とする。
【０００７】
本発明の請求項３に係るバルブ装置は、請求項１または２に記載のバルブ装置において、前記弁体は、前記受け面側に弁体本体を有し、かつ前記カム部側に該弁体本体を該受け面に均一に押圧する押圧板を有することを特徴とする。
【０００８】
本発明の請求項４に係るバルブ装置は、請求項３に記載のバルブ装置において、前記受け面の前記弁体本体側または弁体本体の受け面側に環状凸部が形成され、かつ、前記押圧板に、上記環状凸部に対応する位置関係で第２環状凸部が形成されていることを特徴とする。
【発明の効果】
【０００９】
本発明による場合には、レバーの他端側を起伏させてカム部の小半径部分を弁体に合わせると、カム部が弁体から離れて開弁許容状態になり、その状態で外側から吸引することにより弁体が受け面から離れて開弁状態となる。一方、カム部の大半径部分を弁体に合わせると、カム部が弁体を受け面に押付けて閉弁状態になる。そして、このような開弁許容状態と閉弁状態とがレバー他端側の起伏操作により行われるので、手でバルブ枠体を押さえつつその手の指でレバーを起伏操作することができる。このため、従来のようにバルブ枠体が回動しないように両手を使う必要がなく、片手でも容易に操作をすることが可能となって操作性が大幅に向上する。加えて、片手で操作してもバルブ枠体が回動しないため、袋体の変形が起こり難く袋体が破損するのを抑制することも可能になる。
【００１０】
請求項２の発明による場合には、内側バルブ枠体の弁体取付部に弁体を設けるとともに外側バルブ枠体にレバーを設けておき、これら両バルブ枠体の間にバルブ取付孔の周縁部を挟み、かつ両バルブ枠体を弁体の上にカム部が位置するように連結することで容易にバルブ装置全体が構成される。
【００１１】
請求項３の発明による場合には、弁体が、受け面側に弁体本体を、カム部側に弁体本体を受け面に均一に押圧する押圧板を有するので、受け面の全方位において弁体本体と受け面との間に隙間が無い密着状態にすることができ、閉弁状態がより確実になる。
【００１２】
請求項４の発明による場合には、受け面または弁体本体と環状凸部とが密着する環状部分を第２環状凸部が押し付けることになり、上述した受け面の全方位における弁体本体と受け面との間の隙間を確実に無くすることが可能になる。
【発明を実施するための最良の形態】
【００１３】
以下に、本発明を具体的に説明する。
【００１４】
図１は本発明の一実施形態に係るバルブ装置を示す図面であり、（ａ）はそのバルブ装置を示す平面図、（ｂ）は（ａ）のＡ−Ａ線による断面図、（ｃ）は（ａ）のＢ−Ｂ線による断面図である。図２は図１のバルブ装置が取付けられる袋体を示す外観図である。
【００１５】
図２に示す袋体２は、図１に示すバルブ装置が取付けられる被取付対象物であって矩形状に形成され、上側として用いる表面にバルブ取付孔３が形成され、一辺には布団や座布団などの収容物を出し入れするための開口４とその開口４を開閉させるための開閉具として、例えばジッパー５が設けられている。ジッパー５は破線にて示している。そして、上記バルブ取付孔３には、本実施形態のバルブ装置１が取付けられている。
【００１６】
バルブ装置１は、バルブ取付孔３の周りに取付けられたバルブ枠体１０と、バルブ枠体１０の内部に設けられた弁体２０と、その弁体２０を操作するためのレバー３０とを具備し、全体が合成樹脂により作製されている。
【００１７】
バルブ枠体１０は、袋体２の内側に配される内側バルブ枠体１１と、袋体２の外側に配される外側バルブ枠体１２とをバルブ取付孔３で連結して構成され、バルブ枠体１０の内部には、袋体２の内外にエアの出入れを行うためのエア通路孔１３が設けられている。このエア通路孔１３は前記バルブ取付孔３と連通している。
【００１８】
エア通路孔１３の外側周縁の環状領域には弁体用受け面１４が形成されている。受け面１４の上側には弁体２０が設けられ、この弁体２０はバルブ枠体１０に水平軸回りに揺動可能に設けたレバー３０のカム部３１により、下方へ押圧された閉弁状態と上方への移動を可能とする開弁許容状態とのいずれかに選択使用されるようになっている。
【００１９】
図３（ａ）は内側バルブ枠体１１の平面図、同（ｂ）はその底面図である。内側バルブ枠体１１は、平面視で円形に形成された円板１１ａの下側に放射状の突起１１ｂが下方に突出するよう形成されていて、円板１１ａの中央部には前記エア通路孔１３が形成されている。また、上記突起１１ｂは、本実施形態では４種類形成されていて、そのうちの一種の突起１１ｂ−１は、円板１１ａの中心から９０゜ずらせて４本形成されている。つまり、十字状に形成されていて、各突起１１ｂ−１の中心側はエア通路孔１３の下側を通る。また、他の１種の突起１１ｂ−２は、突起１１ｂ−１よりも短く、中心側の端部をエア通路孔１３よりも小径の環状部１１ｃに連結させてあり、隣合う突起１１ｂ−１間に２本ずつ形成されている。また、更に他の１種の突起１１ｂ−３は、突起１１ｂ−２よりも短く、隣合う突起１１ｂ−１と突起１１ｂ−２との間、或いは隣合う突起１１ｂ−２の間に１本ずつ形成されている。更に、他の１種の突起１１ｂ−４は、突起１１ｂ−３よりも更に短く、この突起１１ｂ−４以外の隣り合うものどうしの間に１本ずつ形成されている。
【００２０】
これら複数の突起１１ｂは、袋体２内に収容した収容物によりエア通路孔１３が塞がれるのを防止し、エア通路孔１３でのエアの出し入れを容易にかつ確実に行わせるために形成されていて、隣り合う突起１１ｂの間がエア通路として機能するようになっている。
【００２１】
円板１１ａの上側には、上方に突出していて、エア通路孔１３と同心状に環状の弁体取付部１１ｄが形成され、この弁体取付部１１ｄよりも内側が上記受け面１４となっていて、この受け面１４の上側には環状凸部１４ａが形成されている。一方、弁体取付部１１ｄの外側の４箇所には、係合片１１ｅが形成されている。
【００２２】
外側バルブ枠体１２は、図１に示すように概略円盤状に形成されていて、上表面として機能する外皮１２ａを有し、その外皮１２ａの外周１２ｂが下側に向けて突出形成され、外側バルブ枠体１２の下側には前記弁体取付部１１ｄに当接する突起１２ｃと押さえ片１２ｄとが部分的に形成され、前記係合片１１ｅに対応する下側位置には下向きの係合片１２ｅが形成されている。
【００２３】
この外側バルブ枠体１２は、外周１２ｂを内側バルブ枠体１１の円板１１ａの外周に当接させ、かつ、突起１２ｃおよび押さえ片１２ｄを弁体取付部１１ｄに当接させるとともに、係合片１２ｅを係合片１１ｅに爪同士の係合により係合させることで、内側バルブ枠体１１と連結されている。なお、これら外側バルブ枠体１２の外周１２ｂと内側バルブ枠体１１の円板１１ａの外周との間で、上記袋体２のバルブ取付孔３の周縁が挟持されている。
【００２４】
上記外皮１２ａには、電気掃除機の吸気ノズル５０の吸込口５１を位置決めするための円形位置決め部１２ｆが上側に突出形成されていて、その位置決め部１２ｆには複数、図１に示す例では４つのエア通路用の貫通孔１２ｉが設けられている。位置決め部１２ｆの直径は吸込口５１の内径に応じた寸法に設定される。また、外皮１２ａは、一定幅で開口していて、その開口部分の内側にはレバー３０が揺動可能に取付けられている。
【００２５】
レバー３０は、一端側にカム部３１が形成され、他端側が操作部３２として機能するようになっており、カム部３１の両側には支持軸３３が水平方向に突出形成され、それら支持軸３３が、外側バルブ枠体１２の外皮１２ａよりも内側に設けた軸受部１２ｇに回動可能に支持されることでレバー３０が揺動可能となっている。
【００２６】
上記レバー３０の揺動域の両限度位置には、それぞれ前記押さえ片１２ｄが位置していて、各押さえ片１２ｄの上面１２ｈに当接する角度範囲内でレバー３０を揺動させ得るようになっている。
【００２７】
上記カム部３１は、弁体２０を受け面１４に対して押付ける大半径部分３１ａと、弁体２０を該受け面１４から離隔し得る状態にする小半径部分３１ｂとが形成されている。よって、他端側の操作部を起伏させる、つまり支持軸３３を支点として揺動させることにより、カム部３１の弁体２０に対する角度を調整することが可能である。具体的には、図４（ａ）に示すように一方（図左側）の押さえ片１２ｄの上面１２ｈにレバー３０が当接した状態、つまり操作部３２が左側に倒伏した横向き状態にすると、小半径部分３１ｂが下向きの状態になる。逆に、図４（ｂ）に示すように他方（図右側）の押さえ片１２ｄの上面１２ｈにレバー３０が当接した状態、つまり操作部３２が右側に倒伏した横向き状態にすると、小半径部分３１ｂが上向きの状態になる。
【００２８】
上記弁体２０は、図１に示すように上記弁体取付部１１ｄの内側に設けられていて、弁体本体２１と押圧板２２とで構成されている。
【００２９】
弁体本体２１は、図５に示すように平面視で概略正三角形状に形成されていて、長い半径部分２１ａは弁体取付部１１ｄの内側半径とほぼ同一寸法に設定され、弁体取付部１１ｄにて案内されて昇降し、降下して環状凸部１４ａに当接した状態でエア通路孔１３を塞ぐように構成されている。弁体本体２１の短い半径部分２１ｂは、弁体本体２１が環状凸部１４ａから離れた、つまり上昇した状態で、エア通路として機能するようになっている。
【００３０】
上側の押圧板２２は、弁体本体２１を受け面１４の環状凸部１４ａに均一に押圧するもので、図６に示すように放射状の骨格部２２ａの外端に円形部２２ｂが連結された構成となっていて、隣り合う骨格部２２ａの間には、６個の空洞部２２ｃが設けられている。これら空洞部２２ｃはエア通路として機能するものである。
【００３１】
この押圧板２２の上面および下面には、環状凸部１４ａと対応する位置関係で第２環状凸部２２ｄ、２２ｅが設けられている。第２環状凸部２２ｄは上面側のもので、第２環状凸部２２ｅは下面側のものである。なお、上側の第２環状凸部２２ｄと下側の第２環状凸部２２ｅとは、空洞部２２ｃにおいて相互に連結されている。
【００３２】
弁体本体２１は、上述したように受け面１４、より詳細には環状凸部１４ａに対して接離可能に設けられていて、レバー３０を揺動させてカム部３１の小半径部分３１ｂを上向きにして大半径部分３１ａで押圧板２２を下側に押圧させると、弁体本体２１が環状凸部１４ａに当接して、エア通路１３でのエアの通流を遮断する。これにより、閉弁状態となる。一方、レバー３０を揺動させてカム部３１の小半径部分３１ｂを下向きにしてカム部３１を押圧板２２から離れさせると、弁体本体２１がその自重により環状凸部１４ａに当接した開弁許容状態となる。そして、この開弁許容状態において、図１（ｂ）に示すように電気掃除機の吸気ノズル５０の吸込口５１を円形位置決め部１２ｆに当接させて吸引すると、弁体本体２１が環状凸部１４ａから浮上して開弁状態となり、袋体２の内部のエアが吸引される。吸引されるエアは、放射状の突起１１ｂにて案内されてエア通路孔１３へ導かれ、弁体本体２１の短い半径部分と弁体取付部１１ｄとの隙間を経て直接、或いは押圧板２２の空洞部２２ｃを介して円形位置決め部１２ｆの貫通孔１２ｉへ送られ、吸気ノズル５０へと移動する。
【００３３】
その後、吸引を終了して吸込口５１を円形位置決め部１２ｆから離すと、袋体２の内部が負圧となっているので、弁体本体２１が環状凸部１４ａに当接する状態になり、袋体２の内部に外部エアが侵入することが防止され、袋体２の内部圧力が一定に保持される。その後、レバー３０を揺動させてカム部３１の小半径部分３１ｂを上向きにして大半径部分３１ａで押圧板２２を下側に押すと、弁体本体２１が環状凸部１４ａに当接したままのロック状態になる。
【００３４】
したがって、本実施形態による場合には、エア通路孔１３でのエア通流・遮断を、レバー３０の揺動により、つまりレバー３０の他端側操作部３２の起伏操作により行われるので、手でバルブ枠体１０を上方から押さえつつその手の指でレバー３０を起伏操作することができ、これにより従来のようにバルブ枠体が回動しないように両手を使う必要がなく、片手でも容易に操作をすることが可能となって操作性が大幅に向上する。加えて、片手で操作してもバルブ枠体１０が回動しないため、袋体２の変形が起こり難く袋体２が破損するのを抑制することも可能になる。
【００３５】
また、本実施形態においては、内側バルブ枠体１１の弁体取付部１１ｄに弁体２０を設けるとともに外側バルブ枠体１２にレバー３０を設けているので、これら両バルブ枠体１１、１２の間にバルブ取付孔３の周縁部を挟み、かつ両バルブ枠体１１、１２を弁体２０の上にカム部３１が位置するように連結することで、容易にバルブ装置１の全体を構成させ得る。更に、弁体２０が、受け面１４側に弁体本体２１を、カム部３１側に弁体本体２１を受け面１４に均一に押圧する押圧板２２を有するので、受け面１４の全方位において弁体本体２１と受け面１４との間に隙間が無い密着状態にすることができ、閉弁状態がより確実になる。更にまた、弁体本体２１と環状凸部１４ａとが密着する環状部分を第２環状凸部２２ｄが押し付けることになり、上述した受け面１４の全方位における弁体本体２１と受け面１４との間の隙間を確実に無くすることが可能になる。
【００３６】
なお、上述した実施形態では弁体本体２１の形状を平面視で概略正三角形としているが、本発明はこれに限らない。環状凸部１４ａと当接する部分よりも内側で閉弁状態を確保することができ、環状凸部１４ａと当接する部分よりも外側でエア通路の確保と弁体取付部による案内とを確保することができればよく、平面視で概略正四角形、概略正五角形などの多角形形状としてもよい。或いは、頂点が中心に対して均等位置に存在する形状に限らず、三角形や四角形、または五角形などの多角形としてもよい。更には、弁体取付部に入る円形のもので、環状凸部１４ａと当接する部分よりも外側にエア通路用の貫通孔が形成されたものであってもよい。
【００３７】
また、上述した実施形態では弁体を案内する手段として環状の弁体取付部１１ｄを用いているが、本発明はこれに限らない。例えば、水平断面で矩形の空洞を有する環状の弁体取付部などを用いてもよい。この場合には、弁体本体の形状も調整される。更には、環状凸部と当接する部分よりも外側にエア通路用の貫通孔が形成された弁体本体を使用する場合には、弁体取付部としては環状でなくてもよく、例えば環状部分の一部が切欠かれた断続的なものであってもよい。
【００３８】
更に、上述した実施形態ではレバーを横倒し状態から反対側へ向けて起伏することにより横倒し状態にするように構成しているが、本発明はこれに限らない。例えば、閉弁状態でロックする場合には、袋体を重ねて押入等に収納することを考慮して横倒し状態にすることが好ましいが、開弁許容状態にするときは鉛直方向またはそれに近い角度で縦向きに立ち上がった起立状態になるようにしても構わない。この場合には、外皮１２ａに設けた一定幅で開口を半分程度の長さとし、その開口の端にレバーが当たるようにすれば、レバーの揺動角度を規制することができる。
【００３９】
更にまた、上述した実施形態ではレバーの一端側に設けたカム部の大半径部分を、小半径部分以外の全域にわたり一定寸法として設けた構成としているが、本発明はこれに限らない。カム部の大半径部分の両側に、小半径部分に近づけば近づく程に長くなる中半径部分を設けるようにしてもよい。また、レバーを横倒し状態と起立状態とにわたり揺動可能に設ける場合には、大半径部分と小半径部分との位置関係を調整することが要求される。
【００４０】
更にまた、上述した実施形態では受け面に環状凸部を設けているが、本発明はこれに限らず、弁体本体の下面側に環状凸部を設ける構成としてもよい。
【００４１】
更にまた、上述した実施形態では環状凸部と弁体本体（弁体本体の下面側に環状凸部を設ける場合は受け面）とを接離させることにより開弁・閉弁状態とする構成としているが、本発明はこれに限らず、弁体と受け面との間にシール部材を設けることで環状凸部を省略した構成としてもよい。この構成とする場合には、押圧板を省略しても構わない。
【図面の簡単な説明】
【００４２】
【図１】本発明の一実施形態に係るバルブ装置を示す図面であり、（ａ）はそのバルブ装置を示す平面図、（ｂ）は（ａ）のＡ−Ａ線による断面図、（ｃ）は（ａ）のＢ−Ｂ線による断面図である。
【図２】図１のバルブ装置が取付けられる袋体を示す外観図である。
【図３】（ａ）は内側バルブ枠体の平面図、（ｂ）はその底面図である。
【図４】（ａ）はレバーを閉弁状態に横倒しした状態を示す正面図、（ｂ）はレバーを開弁許容状態に横倒しした状態を示す正面図である。
【図５】弁体本体と弁体取付部とを示す平面図である。
【図６】（ａ）は押圧板を示す平面図、（ｂ）はその正面図、（ｃ）はその正面断面図である。
【符号の説明】
【００４３】
１    バルブ装置
２    袋体
３    バルブ取付孔
１０    バルブ枠体
１１    内側バルブ枠体
１１ｄ    弁体取付部
１２    外側バルブ枠体
１３    エア通路孔
１４    受け面
１４ａ    環状凸部
２０    弁体
２１    弁体本体
２２    押圧板
２２ｄ、２２ｅ    第２環状凸部
３０    レバー
３１    カム部
３１ａ    大半径部分
３１ｂ    小半径部分
【図１】
2007284140.tif 000003
【図２】
2007284140.tif 000004
【図３】
2007284140.tif 000005
【図４】
2007284140.tif 000006
【図５】
2007284140.tif 000007
【図６】
2007284140.tif 000008